(57)【要約】【課題】自立型ガセット袋を複数個ずつ箱詰めするに際し、ヘッディング部にできるだけしわが付かない形で、コンパクトにガセット袋を梱包できる箱詰め方法を提供する。【解決手段】頂部にヘッディング部４を有する自立型ガセット袋１を複数個、上面開放状態の箱１０に上方より自立姿勢で入れ、その後前記箱の上面内フラップ１３と上面外フラップ１４を閉じて梱包状態とするに際し、箱１０に入れられた複数個のガセット袋１のヘッディング部４を、折り曲げ具２０でガセット袋正面側より圧迫する。この時、ヘッディング部４を折り曲げられるガセット袋１の後ろに並ぶガセット袋１のヘッディング部４の根元部または折り曲げられるヘッディング部４の根元部をガセット袋背面側より支え具２１で支えておく。箱１０内の全てのガセット袋１のヘッディング部４に背面方向への折れ癖をつけ終わった後、上面内フラップ１３と上面外フラップ１４を閉じる。【選択図】図３
2010159071.tif 000002
【特許請求の範囲】
【請求項１】
頂部にヘッディング部を有する自立型ガセット袋を複数個、上面開放状態の箱に上方より自立姿勢で入れ、その後前記箱の上面フラップを閉じて梱包状態とするに際し、
前記箱に入れられた前記複数個のガセット袋の前記ヘッディング部を、折り曲げ具でガセット袋正面側より圧迫して各ヘッディング部に背面方向への折れ癖をつけて行き、箱内の全てのガセット袋のヘッディング部に折れ癖をつけ終わった後、前記上面フラップを閉じることを特徴とする自立型ガセット袋の箱詰め方法。
【請求項２】
前記ガセット袋を、それぞれの正面側を一方向に向けて前記箱内で整列させ、前記折り曲げ具が前記ヘッディング部の１個を圧迫するとき、当該ヘッディング部の属するガセット袋の後ろに並ぶガセット袋の中の１個のヘッディング部の根元部または当該ヘッディング部の根元部をガセット袋背面側より支え具で支えることを特徴とする請求項１に記載の自立型ガセット袋の箱詰め方法。
【請求項３】
前記折り曲げ具が前記ヘッディング部を圧迫するとき、当該ヘッディング部の根元部を前記支え具で支えることは、列の最後尾のガセット袋についてのみ行われることを特徴とする請求項２に記載の自立型ガセット袋の箱詰め方法。
【請求項４】
前記ヘッディング部の圧迫は、列の先頭のガセット袋より順次遂行されることを特徴とする請求項２または３に記載の自立型ガセット袋の箱詰め方法。
【請求項５】
請求項２から４のいずれかの自立型ガセット袋の箱詰め方法に用いられる自立型ガセット袋の箱詰め装置であって、
それぞれの正面側を一方向に向けて整列状態で前記箱に入れられた前記ガセット袋の前記ヘッディング部を、ガセット袋正面側より圧迫してヘッディング部１個ずつに背面方向への折れ癖をつける折り曲げ具と、前記折り曲げ具が前記ヘッディング部の１個を圧迫するとき、当該ヘッディング部の属するガセット袋の後ろに並ぶガセット袋の中の１個のヘッディング部の根元部または当該ヘッディング部の根元部をガセット袋背面側より支える支え具とを備えることを特徴とする自立型ガセット袋の箱詰め装置。
【請求項６】
前記支え具は、前記折り曲げ具が前記ヘッディング部を圧迫するとき、当該ヘッディング部の根元部を支えることを、列の最後尾のガセット袋についてのみ行うことを特徴とする請求項５に記載の自立型ガセット袋の箱詰め装置。
【請求項７】
前記折り曲げ具は、前記ヘッディング部の圧迫を列の先頭のガセット袋より順次遂行することを特徴とする請求項５または６に記載の自立型ガセット袋の箱詰め装置。
【請求項８】
前記折り曲げ具と前記支え具はいずれも板状または棒状の部材であり、前記折り曲げ具は長手方向の縁で前記ヘッディング部を圧迫し、前記支え具は長手方向の縁で前記ヘッディング部の根元部を支えることを特徴とする請求項５から７のいずれか１項に記載の自立型ガセット袋の箱詰め装置。
【発明の詳細な説明】
【技術分野】
【０００１】
本発明は自立型ガセット袋の箱詰め方法及びそれに用いられる自立型ガセット袋の箱詰め装置に関する。
【背景技術】
【０００２】
袋の側面に折込部を有するガセット袋は、収容力が大きいことから、粉体、粒体、流動体、個装された小物品の包装などに広く採用されている。ガセット袋の例は特許文献１、２に見ることができる。図１１にもガセット袋の一例を示す。
【０００３】
ガセット袋は、厚みの大きい設計であれば、自立する。図１１のガセット袋１も自立型のものである。一般に、ガセット袋は頂部に三角屋根状部分とシール部を備える。図９のガセット袋１も三角屋根状部分２とシール部３を備えている。本明細書では、三角屋根状部分２とシール部３をひとまとめにして「ヘッディング部」と呼び、符号４を付す。
【０００４】
ガセット袋１の表面には、商品名やキャッチフレーズ、キャラクター図形など、様々な情報が表示される。自立型のガセット袋１の場合、ヘッディング部４も表示部として重要な意味を持つ。
【先行技術文献】
【特許文献】
【０００５】
【特許文献１】特開平８−２８２６８１号公報
【特許文献２】特開２００４−３３１２２０号公報
【発明の概要】
【発明が解決しようとする課題】
【０００６】
自立型ガセット袋を複数個ずつ段ボール箱などに箱詰めするに際しては、開梱時に取り出しやすいよう、上面が開く箱に自立姿勢のガセット袋を上方から入れるのが普通である。この時問題になるのがヘッディング部の処理である。前述の通りヘッディング部は表示部として重要な意味を持つので、できるだけしわのつかない形で箱に収納しておきたいが、さりとてヘッディング部を真っ直ぐ立てたまま梱包するのでは、箱が大型化し、保管や輸送などの物流コストがかさむ。
【０００７】
本発明は上記の点に鑑みなされたものであり、自立型ガセット袋を複数個ずつ箱詰めするに際し、ヘッディング部にできるだけしわがつかない形で、コンパクトにガセット袋を梱包できる自立型ガセット袋の箱詰め方法と、それに用いられる自立型ガセット袋の箱詰め装置を提供することを目的とする。
【課題を解決するための手段】
【０００８】
上記目的を達成するため、本発明による自立型ガセット袋の箱詰め方法は、頂部にヘッディング部を有する自立型ガセット袋を複数個、上面開放状態の箱に上方より自立姿勢で入れ、その後前記箱の上面フラップを閉じて梱包状態とするに際し、前記箱に入れられた前記複数個のガセット袋の前記ヘッディング部を、折り曲げ具でガセット袋正面側より圧迫して各ヘッディング部に背面方向への折れ癖をつけて行き、箱内の全てのガセット袋のヘッディング部に折れ癖をつけ終わった後、前記上面フラップを閉じることを特徴としている。
【０００９】
この構成によると、箱の中のガセット袋のヘッディング部全部に背面方向への折れ癖をつけてから箱の上面フラップを閉じるので、ヘッディング部がきれいに折れ曲がり、余分なしわがついたり、くしゃくしゃになったりすることがなく、開梱して箱から取り出した後は美麗な状態のヘッディング部を顧客に見せることができる。また、ヘッディング部を折り曲げる分だけ箱の高さを低くできるから、箱を小型化でき、箱自体のコストが下がる他、保管や輸送などの物流コストも低減することができる。
【００１０】
また本発明は、上記自立型ガセット袋の箱詰め方法において、前記ガセット袋を、それぞれの正面側を一方向に向けて前記箱内で整列させ、前記折り曲げ具が前記ヘッディング部の１個を圧迫するとき、当該ヘッディング部の属するガセット袋の後ろに並ぶガセット袋の中の１個のヘッディング部の根元部または当該ヘッディング部の根元部をガセット袋背面側より支え具で支えることを特徴としている。
【００１１】
この構成によると、ヘッディング部が圧迫され倒されようとするガセット袋を支え具で背後から支え、折り曲げ具によるヘッディング部の折り曲げを確実に遂行することができる。
【００１２】
また本発明は、上記自立型ガセット袋の箱詰め方法において、前記折り曲げ具が前記ヘッディング部を圧迫するとき、当該ヘッディング部の根元部を前記支え具で支えることは、列の最後尾のガセット袋についてのみ行われることを特徴としている。
【００１３】
折り曲げ具が圧迫するヘッディング部そのものを支え具で支えると、そのヘッディング部に支え具が接近するとき、すぐ後ろのヘッディング部を支え具が正面側に倒してしまうことがある。正面側に倒れたヘッディング部の上に、その前のヘッディング部が折り曲げ部で折り曲げられると、正面側に倒れたヘッディング部は起き上がれなくなってしまう。
列の最後尾のガセット袋であれば、後続のガセット袋が存在しないので、このような問題は発生しない。
【００１４】
また本発明は、上記自立型ガセット袋の箱詰め方法において、前記ヘッディング部の圧迫は、列の先頭のガセット袋より順次遂行されることを特徴としている。
【００１５】
この構成によると、ヘッディング部が折り曲げられる方向と折り曲げ具及び支え具が進む方向が一致するから、一旦折り曲げられたヘッディング部を折り曲げ具または支え具が持ち上げて起こすといった事態は発生しない。
【００１６】
また本発明は、上記自立型ガセット袋の箱詰め方法に用いられる自立型ガセット袋の箱詰め装置であって、
それぞれの正面側を一方向に向けて整列状態で前記箱に入れられた前記ガセット袋の前記ヘッディング部を、ガセット袋正面側より圧迫してヘッディング部１個ずつに背面方向への折れ癖をつける折り曲げ具と、前記折り曲げ具が前記ヘッディング部の１個を圧迫するとき、当該ヘッディング部の属するガセット袋の後ろに並ぶガセット袋の中の１個のヘッディング部の根元部または当該ヘッディング部の根元部をガセット袋背面側より支える支え具とを備えることを特徴としている。
【００１７】
この構成によると、ヘッディング部が圧迫され倒されようとするガセット袋を支え具で背後から支え、折り曲げ具によるヘッディング部の折り曲げを確実に遂行することができる。
【００１８】
また本発明は、上記自立型ガセット袋の箱詰め装置において、前記支え具は、前記折り曲げ具が前記ヘッディング部を圧迫するとき、当該ヘッディング部の根元部を支えることを、列の最後尾のガセット袋についてのみ行うことを特徴としている。
【００１９】
折り曲げ具が圧迫するヘッディング部そのものを支え具で支えると、そのヘッディング部に支え具が接近するとき、すぐ後ろのヘッディング部を支え具が正面側に倒してしまうことがある。正面側に倒れたヘッディング部の上に、その前のヘッディング部が折り曲げ部で折り曲げられると、正面側に倒れたヘッディング部は前方のヘッディング部で押さえ込まれ、起き上がれなくなってしまう。列の最後尾のガセット袋であれば、後続のガセット袋が存在しないので、このような問題は発生しない。
【００２０】
また本発明は、上記自立型ガセット袋の箱詰め装置において、前記折り曲げ具は、前記ヘッディング部の圧迫を列の先頭のガセット袋より順次遂行することを特徴としている。
【００２１】
この構成によると、ヘッディング部が折り曲げられる方向と折り曲げ具及び支え具が進む方向が一致するから、一旦折り曲げられたヘッディング部を折り曲げ具または支え具が持ち上げて起こすといった事態は発生しない。
【００２２】
また本発明は、上記自立型ガセット袋の箱詰め装置において、前記折り曲げ具と前記支え具はいずれも板状または棒状の部材であり、前記折り曲げ具は長手方向の縁で前記ヘッディング部を圧迫し、前記支え具は長手方向の縁で前記ヘッディング部の根元部を支えることを特徴としている。
【００２３】
この構成によると、自立型ガセット袋が複数列で並んでいる場合、複数列をカバーできる幅の板または棒で折り曲げ具と支え具を形成すれば、横並びとなった複数個のヘッディング部を一度に折り曲げることができる。
【発明の効果】
【００２４】
本発明によると、箱に入れた自立型ガセット袋のヘッディング部をきれいに折り曲げてコンパクトに梱包し、物流コストを下げることができる。開梱してガセット袋を箱から取り出した後は、美麗な状態のヘッディング部を顧客に見せることができる。
【図面の簡単な説明】
【００２５】
【図１】本発明に係る自立型ガセット袋の箱詰め方法を説明すべく描かれた、自立型ガセット袋を収納した箱の垂直断面図であって、第１の状態を示すものである。
【図２】図１の箱の水平断面図である。
【図３】本発明に係る自立型ガセット袋の箱詰め方法を説明すべく描かれた、自立型ガセット袋を収納した箱の垂直断面図であって、第２の状態を示すものである。
【図４】本発明に係る自立型ガセット袋の箱詰め方法を説明すべく描かれた、自立型ガセット袋を収納した箱の垂直断面図であって、第３の状態を示すものである。
【図５】本発明に係る自立型ガセット袋の箱詰め方法を説明すべく描かれた、自立型ガセット袋を収納した箱の垂直断面図であって、第４の状態を示すものである。
【図６】本発明に係る自立型ガセット袋の箱詰め方法を説明すべく描かれた、自立型ガセット袋を収納した箱の垂直断面図であって、第５の状態を示すものである。
【図７】本発明に係る自立型ガセット袋の箱詰め方法を説明すべく描かれた、自立型ガセット袋を収納した箱の垂直断面図であって、第６の状態を示すものである。
【図８】本発明に係る自立型ガセット袋の箱詰め方法を説明すべく描かれた、自立型ガセット袋を収納した箱の垂直断面図であって、第７の状態を示すものである。
【図９】自立型ガセット袋を箱詰めする際に起こり得る不都合な事象を説明すべく描かれた、自立型ガセット袋を収納した箱の垂直断面図であって、第１の状態を示すものである。
【図１０】自立型ガセット袋を箱詰めする際に起こり得る不都合な事象を説明すべく描かれた、自立型ガセット袋を収納した箱の垂直断面図であって、第２の状態を示すものである。
【図１１】自立型ガセット袋の一例を示す斜視図である。
【発明を実施するための形態】
【００２６】
以下に本発明の実施形態を、図面を参照して説明する。図１は段ボール製の箱１０に自立型のガセット袋１を入れた状態を示す。図２に示すように、ガセット袋１は、図の左右方向を列、図の上下方向を行として、３列４行計１２個が箱１０に入れられており、袋の正面は全て図の左側に向けられている。すなわち、図の左右方向に４個並ぶガセット袋１の中で、最も左側のものが列の先頭、最も右側のものが列の最後尾ということになる。説明の便宜のため、ガセット袋の符号「１」には、必要に応じ、列の先頭より順に「ａ」「ｂ」「ｃ」「ｄ」の添字を付す。ヘッディング部の符号「４」にも同様に必要に応じ「ａ」「ｂ」「ｃ」「ｄ」の添字を付す。なお、３列４行というのは単なる構成例であり、それに限定される訳ではない。
【００２７】
箱１０は通常用いられる直方体形状の段ボール箱であり、胴部の対向２辺（図２において上下に位置する辺）の下縁には下面内フラップ１１が連設され、それと直角をなす対向２辺（図２において左右に位置する辺）の下縁には下面外フラップ１２が連設されている。また胴部の対向２辺（図２において上下に位置する辺）の上縁には上面内フラップ１３（図７参照）が連設され、それと直角をなす対向２辺（図２において左右に位置する辺）の上縁には上面外フラップ１４が連設されている。
【００２８】
箱１０は、起函後、下面内フラップ１１と下面外フラップ１２を内側に折り曲げ、下面内フラップ１１と下面外フラップ１２をホットメルト接着剤で接着するか、あるいは下面外フラップ１２の合わせ目に封緘テープを貼って箱形状とされる。上面内フラップ１３と上面外フラップ１４は外側に開いておく。図１の箱１０は上面外フラップ１４を水平状態まで曲げた状態で描かれているが、ここまで曲げる必要はなく、途中の傾斜状態にとどめておいて構わない。これは上面内フラップ１３についても同じである。
【００２９】
図１に示すように上面開放状態とした箱１０の中に、複数個、この場合は前述の通り３列４行計１２個の自立型ガセット袋１を、ケーサーと称されるこの種箱詰め装置で常用される、図示しないチャック装置を用いて、上方より自立姿勢のまま挿入する。図１及び図２は挿入後の状態を示す。
【００３０】
続いてガセット袋１の各ヘッディング部４に、折り曲げ具２０と支え具２１（図３参照）で背面方向への折れ癖をつける。折り曲げ具２０は緩やかに傾斜した平板状の板状部材、支え具２１は折り曲げ具２０に比べやや急角度で傾斜した断面Ｌ字形の板状部材であって、最も低くなった箇所同士、すなわち下縁同士を向かい合わせる形で配置されている。折り曲げ具２０は板の長手方向の縁でヘッディング部４を図の左方から圧迫し、支え具２１は板の長手方向の縁でヘッディング部４の根元部を図の右方から支える。折り曲げ具２０も支え具２１も３列分のガセット袋１をカバーできる横幅を有し、横並びとなった３個のヘッディング部４が一度に折り曲げられることになる。
【００３１】
折り曲げ具２０と支え具２１の一方または両方を板でなく棒で形成することもできる。棒の端でガセット袋１を突き破らないよう、適宜の屈曲形状としておくのが良い。棒で形成した折り曲げ具２０は、棒の長手方向の縁でヘッディング部４を図の左方から圧迫し、棒で形成した支え具２１は、棒の長手方向の縁でヘッディング部４の根元部を図の右方から支えることになる。なお、折り曲げ具２０と支え具２１の両方を板または棒で揃える必要はない。一方が板で他方が棒という取り合わせであっても構わない。
【００３２】
折り曲げ具２０と支え具２１は、この種箱詰め装置で常用される、水平移動と垂直移動が可能な二次元移動装置（図示せず）に支持されて二次元移動する。折り曲げ具２０を取り付けた二次元移動装置と支え具２１を取り付けた二次元移動装置は別のものであり、折り曲げ具２０と支え具２１は別の動きをする。
【００３３】
第１ステップとして、折り曲げ具２０は列の先頭のガセット袋１ａに左方より水平に接近し、ヘッディング部４ａを圧迫する。この時支え具２１は、先頭のガセット袋１ａの後ろに並ぶガセット袋の中の１個のヘッディング部、この場合はガセット袋１ｂのヘッディング部４ｂの根元部を、右方から支える。ガセット袋１ａはガセット袋１ｂを介して間接的に支え具２１で支えられ、折り曲げ具２０による圧力で倒れるのが防がれる。これにより、折り曲げ具２０によるヘッディング部４ａの折り曲げは確実に遂行される。
【００３４】
折り曲げ具２０が圧迫するヘッディング部４ａでなく、その後ろのヘッディング部４ｂの根元部を支え具２１が支えるのは次の理由による。すなわち、折り曲げ具２０が圧迫するヘッディング部４ａそのものの根元部を支え具２１で支えることとすると、ヘッディング部４ａに支え具２１が接近するとき、図９に示すように、すぐ後ろのヘッディング部４ｂを支え具２１が正面側に倒してしまうことがある。正面側に倒れたヘッディング部４ｂの上に、ヘッディング部４ａが折り曲げ部２０で折り曲げられると（図１０参照）、ヘッディング部４ｂはヘッディング部４ａに押さえ込まれ、起き上がれなくなってしまう。これを避けるため、折り曲げ具２０で圧迫されるヘッディング部４ａでなく、その後ろのヘッディング部４ｂの根元部を支え具２１が支え、ガセット袋１ａが間接的に支え具２１で支えられるようにしたのである。
【００３５】
なお、ヘッディング部４ｂに支え具２１が接近するとき、その後ろのヘッディング部４ｃを支え具２１が正面側に倒してしまうことも当然あり得る。しかしながら、正面側に倒されたヘッディング部４ｃは、ヘッディング部４ａで押さえ込まれる訳ではないので、ヘディング部４ｃを支えに行くために支え具２１が上昇すれば、起き上がることができる。このため、図１０に示すような事態にはならない。
【００３６】
図３でヘッディング部４ａに折れ癖をつけた後、折り曲げ具２０はさらに右方に水平移動し、図４に示すように、ヘッディング部４ｂを圧迫する。この時支え具２１は、上昇し、右方に水平移動し、下降するという、いわゆるゲートモーションで位置を変え、ヘッディング部４ｃの根元部を支えている。これにより、ガセット袋１ｂは間接的に支え具２１で支えられることになり、折り曲げ具２０によるヘッディング部４ｂの折り曲げは確実に遂行される。
【００３７】
図４でヘッディング部４ｂに折れ癖をつけた後、折り曲げ具２０はさらに右方に水平移動し、図５に示すように、ヘッディング部４ｃを圧迫する。この時支え具２１は、ゲートモーションで位置を変え、ヘッディング部４ｄの根元部を支えている。これにより、ガセット袋１ｃは間接的に支え具２１で支えられることになり、折り曲げ具２０によるヘッディング部４ｃの折り曲げは確実に遂行される。
【００３８】
図５でヘッディング部４ｂに折れ癖をつけた後、折り曲げ具２０はさらに右方に水平移動し、図６に示すように、支え具２１で根元部を支えられたヘッディング部４ｄを圧迫する。折り曲げ具２０がヘッディング部４ｄをある程度折り曲げた時点で、図示しないフラップ折り具が上面内フラップ１３を内側へ折り曲げ、ヘッディング部４ａ、４ｂ、４ｃ、４ｄが折れ曲がったまま箱１０の中に閉じ込められるようにする。上面内フラップ１３が覆い被さってくるのと入れ替わりに折り曲げ具２０と支え具２１は引き抜かれ、それぞれ折り曲げ作業開始前の原点位置に復帰する。
【００３９】
上面内フラップ１３は、図７の状態になるまで折り曲げられる。次いで、これまた図示しないフラップ折り具が上面外フラップ１４を内側に折り曲げ、図８の状態にする。上面内フラップ１３と上面外フラップ１４をホットメルト接着剤で接着するか、あるいは上面外フラップ１４の合わせ目に封緘テープを貼るかして、箱１０による梱包を終える。
【００４０】
完成した梱包は、箱１０の高さが低く、箱１０自体のコストが下がる他、保管や輸送などの物流コストも低減することができる。またガセット袋１のヘッディング部４は全て背面側にきれいに折り曲げられているので、開梱して箱１０から取り出した後は美麗な状態のヘッディング部４を顧客に見せることができる。
【００４１】
図９及び図１０に示す不都合な事象は、ヘッディング部４がある程度の長さ（高さ）を有するときに起こり得るものであり、ヘッディング部４が短ければ（低ければ）そのような事象は発生しない。図９及び図１０に示す事象が発生しない程度にヘッディング部４が短ければ（低ければ）、列の最後尾以外のヘッディング部４であっても、折り曲げ具２０が圧迫するヘッディング部４そのものの根元部を支え具２１で支えることができる。
【００４２】
以上、本発明の実施形態につき説明したが、本発明の範囲はこれに限定されるものではなく、発明の主旨を逸脱しない範囲で種々の変更を加えて実施することができる。
【産業上の利用可能性】
【００４３】
本発明は、自立型ガセット袋の箱詰め方法及びそれに用いられる自立型ガセット袋の箱詰め装置に利用することができる。
【符号の説明】
【００４４】
１    ガセット袋
４    ヘッディング部
１０  箱
１１  下面内フラップ
１２  下面外フラップ
１３  上面内フラップ
１４  上面外フラップ
２０  折り曲げ具
２１  支え具
【図１】
2010159071.tif 000003
【図２】
2010159071.tif 000004
【図３】
2010159071.tif 000005
【図４】
2010159071.tif 000006
【図５】
2010159071.tif 000007
【図６】
2010159071.tif 000008
【図７】
2010159071.tif 000009
【図８】
2010159071.tif 000010
【図９】
2010159071.tif 000011
【図１０】
2010159071.tif 000012
【図１１】
2010159071.tif 000013